(57)【要約】【課題】コストアップを招くことなく容易に製造可能かつリサイクル可能なディスク装置の提供。【解決手段】ディスク装置のフロントパネル５００に、ディスクトレイに係脱自在に取り付け可能な第１〜第４のパネル係合部５２１〜５２４を有するパネル本体５１０と、このパネル本体５１０に係脱自在に取り付けられる操作部材５７０と、を設けた。第２，第３のパネル係合部５２２，５２３の係合リブ部５２２Ａ、第３のパネル係合基部５２３Ａに、ディスクトレイに係合する第２，第３のパネル係合爪部５２２Ｄ，５２３Ｃと、操作部材５７０に係合するパネル係止孔部５２２Ｂ、パネル係止切欠部５２３Ｂと、を設けた。【選択図】図３
2009188304.tif 000002
【特許請求の範囲】
【請求項１】
処理部を収納する筐体に取り付けられるパネル装置であって、
前記筐体の一面を略覆うパネル本体と、
前記パネル本体に取り付けられ前記処理部を動作させる際に操作される操作部材と、を具備し、
前記パネル本体の一面には、前記筐体に係脱自在に係合するパネル係合部が設けられ、
このパネル係合部は、前記パネル本体の一面から略板状に延出し面方向と略直交する方向に弾性変形可能なパネル係合基部と、このパネル係合基部の延出先端側の一面から前記パネル係合基部の厚さ方向に突出し前記筐体に係合するパネル係合突部と、前記パネル係合基部に設けられ前記操作部材が係脱自在に係止されるパネル係止部と、を備えた
ことを特徴とするパネル装置。
【請求項２】
請求項１に記載のパネル装置において、
前記パネル係止部は、前記パネル係合基部を貫通する孔状に形成された
ことを特徴とするパネル装置。
【請求項３】
請求項２に記載のパネル装置において、
前記パネル本体は、略矩形板状に形成され前記筐体の一面に対向する正面部と、この正面部の側縁から前記正面部の面方向と交差する方向に延出する側縁部と、を備え、
前記パネル係合基部は、前記正面部と側縁部とを接続する状態で設けられた係合リブ部と、この係合リブ部から延出する係合延出部と、を備え、
前記パネル係合突部は、前記係合延出部に設けられ、
前記パネル係止部は、前記係合リブ部に形成された
ことを特徴とするパネル装置。
【請求項４】
請求項１ないし請求項３のいずれかに記載のパネル装置において、
前記パネル係止部は、前記パネル係合基部の側縁の一部が切り欠かれた形状に形成された
ことを特徴とするパネル装置。
【請求項５】
請求項１ないし請求項４のいずれかに記載のパネル装置において、
前記操作部材は、略板状に形成され面方向と略直交する方向に弾性変形可能な操作係合基部と、この操作係合基部の延出先端側の一面から前記操作係合基部の厚さ方向に突出し前記パネル係止部に係止する操作係合突部と、を備え、
前記操作係合突部は、前記パネル係止部に係止した際に前記パネル係合突部と略等しい方向に突出する状態で前記操作係合基部に設けられた
ことを特徴とするパネル装置。
【請求項６】
請求項１ないし請求項５のいずれかに記載のパネル装置において、
前記パネル本体には、その一面と他面とを連通する窓部が設けられ、
透明または半透明な材料により形成され、前記窓部を略閉塞する状態で設けられた窓閉塞部材を具備し、
前記操作部材は、前記操作される操作部と、前記パネル係止部に係合する操作係合部と、この操作係合部が前記パネル係止部と係合した際に前記窓部の周縁とにて前記窓閉塞部材を挟持する挟持部と、を備えた
ことを特徴とするパネル装置。
【請求項７】
ディスク状記録媒体に対する処理を実施する処理部と、
この処理部を収納する筐体と、
この筐体に取り付けられる請求項１ないし請求項６のいずれかに記載のパネル装置と、
を具備したことを特徴とするディスク装置。
【発明の詳細な説明】
【技術分野】
【０００１】
本発明は、パネル装置およびディスク装置に関する。
【背景技術】
【０００２】
従来、電子機器などの筐体の一面を略覆うように略板状のパネル装置を設ける構成が知られている（例えば、特許文献１，２参照）。また、電子機器の筐体のパネルに操作部材を取り付ける構成が知られている（例えば、特許文献３，４参照）。
【０００３】
特許文献１に記載のものは、ハウジングと、このハウジングに着脱自在なスカートと、を備えている。そして、スカートのスナップ嵌合部材をハウジングの凹部に嵌合するとともに、スカートのすべりフックをハウジングの孔に摺動係合させることで、スカートをハウジングに取り付ける構成が採られている。
特許文献２に記載のものは、上部筐体と、下部筐体と、パネル部材と、係止部材と、を備えている。そして、これらを組み立てる際には、上部筐体と下部筐体とを組み付けた後に、パネル部材の爪を上部筐体の凹部に宛がいながらパネル部材を回動させ、パネル部材の係止片を下部筐体の凹部に嵌入させる。次に、係止部材を下部筐体の凹部の穴部内に差し込み、係止部材をパネル部材の係止片方向へ移動させて係止片を挟み込む。そして、係止部材の突起部を係止片の穴に嵌入して係止する構成が採られている。
【０００４】
特許文献３に記載のものは、筐体と、操作ボタンと、を備えている。そして、操作ボタンのフック部を筐体の係止部に係止することで、操作ボタンを筐体に取り付ける構成が採られている。
特許文献４に記載のものは、パネルと、押釦と、を備えている。そして、押釦の上係止孔にパネルの上係止爪を挿入し係止し、さらに押釦の舌片をパネルの下係止爪とパネル裏面との間へ下側から嵌入するとともに、下係止爪の内側に設けられた突部を舌片の下係止孔に嵌合することで押釦をパネルに取り付ける構成が採られている。
【０００５】
【特許文献１】特開平８−３２０７３９号公報
【特許文献２】特開２００４−８７９４６号公報
【特許文献３】特開平７−１４１９６１号公報
【特許文献４】特開平９−８２１７０号公報
【発明の開示】
【発明が解決しようとする課題】
【０００６】
ところで、筐体と、パネル本体と、操作部材とを別体で形成して、その後に組み立てる構成において、パネル本体に特許文献１，２に記載のような筐体に係合する爪部を設けるとともに、特許文献３，４に記載のような操作部材と係合する爪部や孔部を設けることで、各部材を着脱可能にすることが考えられる。しかしながら、このような構成では、パネル本体に筐体との係合部分と、操作部材との係合部分と、を形成するために、金型の形状が複雑になり、製造が困難になったり金型のコストが上がったりしてしまうおそれがある。また、例えば操作部材をパネル本体に溶着することも考えられるが、リサイクルに工数が掛かるおそれがある。
【０００７】
本発明は、このような点などに鑑みて、コストアップを招くことなく容易に製造可能かつリサイクル可能なパネル装置およびディスク装置を提供することを１つの目的とする。
【課題を解決するための手段】
【０００８】
請求項１に記載の発明は、処理部を収納する筐体に取り付けられるパネル装置であって、前記筐体の一面を略覆うパネル本体と、前記パネル本体に取り付けられ前記処理部を動作させる際に操作される操作部材と、を具備し、前記パネル本体の一面には、前記筐体に係脱自在に係合するパネル係合部が設けられ、このパネル係合部は、前記パネル本体の一面から略板状に延出し面方向と略直交する方向に弾性変形可能なパネル係合基部と、このパネル係合基部の延出先端側の一面から前記パネル係合基部の厚さ方向に突出し前記筐体に係合するパネル係合突部と、前記パネル係合基部に設けられ前記操作部材が係脱自在に係止されるパネル係止部と、を備えたことを特徴とするパネル装置である。
【０００９】
請求項７に記載の発明は、ディスク状記録媒体に対する処理を実施する処理部と、この処理部を収納する筐体と、この筐体に取り付けられる請求項１ないし請求項６のいずれかに記載のパネル装置と、を具備したことを特徴とするディスク装置である。
【発明を実施するための最良の形態】
【００１０】
以下、本発明に係る一実施形態を図面に基づいて説明する。
図１は、本発明の一実施形態に係るディスク装置の正面側からの斜視図である。図２は、ディスク装置の背面側からの斜視図である。図３は、フロントパネルの分解斜視図である。図４は、フロントパネルの要部の斜視図である。
【００１１】
［ディスク装置の構成］
図１に示すように、ディスク装置１００は、例えば携帯型のパーソナルコンピュータ（以下、ノートパソコンと称す）などの電気機器に装着されるいわゆるスリムディスク装置（或いはスリムディスクドライブ）と称されるものである。このディスク装置１００は、着脱可能に装着される面状の記録媒体、例えばＣＤ（Compact Disc）やＤＶＤ（Digital Versatile Disc）あるいはＢＤ（Blu-ray Disc：ブルーレイディスク）またはＨＤ−ＤＶＤ（High Definition DVD）などにおける少なくとも一面に設けられた図示しない記録面に記録された情報を読み出す情報処理である読取処理および記録面へ各種情報を記録する情報処理である記録処理の少なくとも一方の処理をする。
そして、ディスク装置１００は、筐体を構成する収容部としてのケース体２００を備えている。
【００１２】
ケース体２００は、底部側の下ケース２０１と天面側の上ケース２０２とにより構成され、内部に空間を有する略四角箱状に形成されている。このケース体２００は、一面側に開口部２０３を有している。そして、ケース体２００には、開口部２０３を介して筐体を構成するディスクトレイ３００が進退自在に設けられている。
ディスクトレイ３００は、例えば合成樹脂などにて略板状に形成され、ケース体２００の開口部２０３から進出自在に設けられている。このディスクトレイ３００の前面部３１０には、ディスクトレイ３００がケース体２００内部に収納された状態で、ケース体２００の開口部２０３を閉塞するパネル装置としてのフロントパネル５００が取り付けられている。また、ディスクトレイ３００には、図示しない光ピックアップなどを有しトラバースメカと称されるディスク処理部３０１が一体的に設けられている。
【００１３】
次に、ディスクトレイ３００の要部の詳細な構成について説明する。
ディスクトレイ３００の前面部３１０は、略長方形状の前面基部３１１と、この前面基部３１１の長手方向の一側縁（右側縁）から略長方形状に突出する右側突出部３１２と、を備えている。また、前面部３１０には、前面基部３１１の左側縁側に縦長孔状に形成された第１のトレイ取付係止部３２１と、この第１のトレイ取付係止部３２１の右側に縦長孔状に形成された第２のトレイ取付係止部３２２と、前面基部３１１の右側端部に切欠き形成された第３のトレイ取付係止部３２３と、右側突出部３１２に横長孔状に形成された第４のトレイ取付係止部３２４と、第１のトレイ取付係止部３２１の右側に凹状に形成されたボス係合凹部３２５と、が設けられている。
【００１４】
また、第２，第３のトレイ取付係止部３２２，３２３の間には、スイッチ部３２６と、ＬＥＤ３２７と、強制イジェクト操作部３２８と、が設けられている。
スイッチ部３２６は、後述するボタン部５７３により押圧される。このスイッチ部３２６が押圧されると、図示しないトレイ排出機構の駆動によりディスクトレイ３００が排出される。ＬＥＤ３２７は、ディスク装置１００の駆動状態に応じて点灯する。強制イジェクト操作部３２８は、強制的にディスクトレイ３００を排出させる際にケース体２００内に押し込まれる。この強制イジェクト操作部３２８が押し込まれると、ディスクトレイ３００が強制的に排出される。
【００１５】
次に、フロントパネル５００の要部の詳細な構成について説明する。
フロントパネル５００は、図１〜図３に示すように、パネル本体５１０と、窓閉塞部材としてのＬＥＤレンズ５４０と、操作部材５７０と、を備えている。
【００１６】
パネル本体５１０は、若干湾曲した略長方形板状の正面部５１１と、この正面部５１１の短手方向の両側縁から正面部５１１の面方向と略直交する方向に延びる上面部５１２および下面部５１３と、正面部５１１の長手方向の両側縁から上面部５１２と略等しい方向に延びる右面部５１４および左面部５１５と、を備えている。なお、上面部５１２は、本発明の側縁部として機能する。
正面部５１１には、ＬＥＤ３２７に対向する窓部を構成するレンズ開口部５１１Ａと、スイッチ部３２６に対向するボタン露出孔部５１１Ｂと、強制イジェクト操作部３２８に対向するイジェクト用孔部５１１Ｃと、が開口形成されている。また、正面部５１１には、第１，第２，第３，第４のトレイ取付係止部３２１，３２２，３２３，３２４にそれぞれ対向する位置に形成された第１，第２，第３，第４のパネル係合部５２１，５２２，５２３，５２４と、ボス係合凹部３２５と対向する位置に形成されたトレイ位置決めボス５２５と、が設けられている。
また、上面部５１２は、クッション材５１６を保持するクッション保持部５１２Ａを備えている。
【００１７】
第１，第４のパネル係合部５２１，５２４は、図３に示すように、左面部５１５、右面部５１４にそれぞれ隣接して設けられ、正面部５１１から略長方形板状に延出する第１，第４のパネル係合基部５２１Ａ，５２４Ａを備えている。この第１，第４のパネル係合基部５２１Ａ，５２４Ａの先端には、その厚さ方向に突出し、第１，第４のトレイ取付係止部３２１，３２４の端部に係止される第１，第４のパネル係合爪部５２１Ｂ，５２４Ｂが設けられている。
【００１８】
第２のパネル係合部５２２は、正面部５１１から略長方形板状に延出するパネル係合基部を構成する係合リブ部５２２Ａを備えている。この係合リブ部５２２Ａは、面方向が正面部５１１の上下方向と略一致し、かつ、正面部５１１と上面部５１２のクッション保持部５１２Ａとを接続する状態で設けられ、正面部５１１および上面部５１２を補強する。また、係合リブ部５２２Ａの上下方向略中央には、この係合リブ部５２２Ａを貫通する略四角孔状のパネル係止部としてのパネル係止孔部５２２Ｂが開口形成されている。さらに、係合リブ部５２２Ａの延出先端には、略長方形板状に延出するパネル係合基部を構成する係合延出部５２２Ｃが設けられている。そして、この係合延出部５２２Ｃの先端には、その厚さ方向に突出し、第２のトレイ取付係止部３２２の端部に係止されるパネル係合突部としての第２のパネル係合爪部５２２Ｄが設けられている。
第３のパネル係合部５２３は、正面部５１１から略長方形板状に延出する第３のパネル係合基部５２３Ａを備えている。この第３のパネル係合基部５２３Ａには、上側縁の基端側が略四角形状に切り欠かれることで形成されたパネル係止部としてのパネル係止切欠部５２３Ｂが設けられている。さらに、第３のパネル係合基部５２３Ａの延出先端には、その厚さ方向に突出し、第３のトレイ取付係止部３２３の端部に係止されるパネル係合突部としての第３のパネル係合爪部５２３Ｃが設けられている。
【００１９】
さらに、第２のパネル係合部５２２の右側には、レンズ開口部５１１Ａの周縁から略四角筒状に延びる窓部を構成するレンズ取付筒部５２６が設けられている。このレンズ取付筒部５２６の先端における下側部分には、略四角形状に切り欠かれたレンズ位置決め切欠部５２６Ａと、レンズ位置決めボス５２６Ｂと、が設けられている。また、レンズ取付筒部５２６の上側には、第１のボタン位置決めボス５２７が設けられている。さらに、レンズ取付筒部５２６の右斜め上側には、レンズボタン位置決めボス５２８が設けられている。
また、レンズ取付筒部５２６の右側には、ボタン露出孔部５１１Ｂの周縁から略四角筒状に延びるボタン取付筒部５３０が設けられている。このボタン取付筒部５３０の右側には、イジェクト用孔部５１１Ｃの周縁から略円柱状に延びるイジェクト用筒部５３１が設けられている。これらイジェクト用孔部５１１Ｃおよびイジェクト用筒部５３１の内部に針金などの線状部材が挿通されることで、強制イジェクト操作部３２８が押し込まれる。また、イジェクト用筒部５３１の左斜め上側には、第２のボタン位置決めボス５３２が設けられている。さらに、第３のパネル係合部５２３の右側および左側には、下面部５１３から上方向に突出する突出部５３３，５３４が設けられている。
【００２０】
ＬＥＤレンズ５４０は、ＬＥＤ３２７の光を外部に放出できるように半透明あるいは透明な材料により形成されている。そして、ＬＥＤレンズ５４０は、レンズ取付筒部５２６に嵌合する略四角柱状のレンズ本体部５４１を備えている。
このレンズ本体部５４１の軸方向の一端側には、外側に向けて鍔状に突出する位置決め鍔部５４２が設けられている。位置決め鍔部５４２の一隅部には、外側に向けて舌片状に突出する被挟持舌片部５４３が設けられている。この被挟持舌片部５４３には、レンズボタン位置決めボス５２８が係合する第１のレンズボス係合孔部５４３Ａが設けられている。
また、位置決め鍔部５４２における被挟持舌片部５４３の対角にある隅部には、図４にも示すように、レンズ位置決めボス５２６Ｂが係合する第２のレンズボス係合孔部５４４が設けられている。さらに、位置決め鍔部５４２には、下方に向けて舌片状に突出し、レンズ位置決め切欠部５２６Ａに係合するレンズ係合舌片部５４５が設けられている。このレンズ係合舌片部５４５は、その一面が位置決め鍔部５４２の一面よりもレンズ本体部５４１側に位置する形状に形成されている。
【００２１】
操作部材５７０は、図３に示すように、略長方形板状の操作基部５７１を備えている。この操作基部５７１の長手方向略中央には、略Ｎ字状に屈曲した２個のばね部５７２を介して操作部としてのボタン部５７３が保持されている。このボタン部５７３は、ボタン取付筒部５３０に嵌合し、その先端がボタン露出孔部５１１Ｂから外部に露出される状態で設けられる。また、ボタン部５７３には、スイッチ押圧ピン５７３Ａが設けられている。このスイッチ押圧ピン５７３Ａは、ばね部５７２が弾性変形してボタン部５７３がディスク装置１００内部側に移動したときに、スイッチ部３２６を押圧する。
【００２２】
また、操作基部５７１の長手方向の一側縁には、その面方向と略直交する方向に延びる右端延出部５７４が設けられている。この右端延出部５７４は、操作基部５７１の面方向と略直交する板状に形成されている。右端延出部５７４には、第１の操作係合部５７５が設けられている。この第１の操作係合部５７５は、右端延出部５７４の面方向と略直交する方向に略長方形板状に延出する第１の操作係合基部５７５Ａと、この第１の操作係合基部５７５Ａの先端からその厚さ方向に突出し、パネル係止切欠部５２３Ｂに係止される操作係合突部としての第１の操作係合爪部５７５Ｂと、を備えている。
さらに、操作基部５７１におけるばね部５７２と右端延出部５７４との間には、第２のボタン位置決めボス５３２が係合する略リング状の係合リング部５７６が設けられている。
【００２３】
また、操作基部５７１の長手方向の他側縁には、右端延出部５７４と略等しい方向に延びる略棒状の左端延出部５７７が設けられている。この左端延出部５７７には、第２の操作係合部５７８が設けられている。この第２の操作係合部５７８は、第１の操作係合基部５７５Ａおよび第１の操作係合爪部５７５Ｂと略等しい形状に形成された第２の操作係合基部５７８Ａおよび操作係合突部としての第２の操作係合爪部５７８Ｂを備えている。第２の操作係合爪部５７８Ｂは、パネル係止孔部５２２Ｂに係止される。
さらに、操作基部５７１におけるばね部５７２と左端延出部５７７との間には、操作基部５７１から延び、かつ、操作基部５７１と略直交する面方向を有する略板状のレンズ挟持部５７９が設けられている。このレンズ挟持部５７９には、第１のボタン位置決めボス５２７、レンズボタン位置決めボス５２８がそれぞれ係合する第１，第２のボタンボス係合孔部５７９Ａ，５７９Ｂが設けられている。また、レンズ挟持部５７９の先端には、操作基部５７１の長手方向と略平行に延びる舌片挟持部５７９Ｃが設けられている。
【００２４】
［ディスク装置の組立動作］
〔フロントパネルの組立動作〕
まず、ディスク装置１００の組立動作として、フロントパネル５００の組立動作について説明する。
まず、ＬＥＤレンズ５４０をパネル本体５１０に取り付ける。具体的には、レンズ本体部５４１をレンズ取付筒部５２６に嵌合させる。このとき、第１，第２のレンズボス係合孔部５４３Ａ，５４４にレンズボタン位置決めボス５２８、レンズ位置決めボス５２６Ｂが係合するとともに、レンズ位置決め切欠部５２６Ａにレンズ係合舌片部５４５が係合することで、レンズ取付筒部５２６に対するＬＥＤレンズ５４０の左右方向への位置決めがなされる。
【００２５】
次に、操作部材５７０をパネル本体５１０に取り付ける。具体的には、ボタン部５７３の先端をボタン取付筒部５３０に嵌合させた後に、操作部材５７０を正面部５１１の方向に押し込む。このとき、係合リング部５７６、第１，第２のボタンボス係合孔部５７９Ａ，５７９Ｂに第２のボタン位置決めボス５３２、第１のボタン位置決めボス５２７、レンズボタン位置決めボス５２８が係合するとともに、第１，第２の操作係合部５７５，５７８が第３，第２のパネル係合部５２３，５２２に係止されることで、操作部材５７０がパネル本体５１０に固定される。また、第２のボタンボス係合孔部５７９Ｂの周縁部および舌片挟持部５７９Ｃと、レンズ取付筒部５２６の端面との間で、被挟持舌片部５４３およびレンズ係合舌片部５４５が挟持されることで、ＬＥＤレンズ５４０の前後方向（正面部５１１に直交する方向）への位置決めがなされる。
また、このとき、第１，第２の操作係合爪部５７５Ｂ，５７８Ｂと、第２，第３のパネル係合爪部５２２Ｄ，５２３Ｃとの突出方向が左面部５１５側となる状態で、操作部材５７０がパネル本体５１０に固定される。
【００２６】
〔フロントパネルのディスクトレイへの取付動作〕
次に、フロントパネル５００のディスクトレイ３００への取付動作について説明する。
フロントパネル５００の第１〜第４のパネル係合部５２１〜５２４を、ディスクトレイ３００の第１〜第４のトレイ取付係止部３２１〜３２４に係止させる。このとき、第１〜第３のパネル係合部５２１〜５２３は、第１のパネル係合基部５２１Ａ、係合延出部５２２Ｃ、第３のパネル係合基部５２３Ａが右面部５１４側に弾性変形しつつ移動した後に第１〜第３のパネル係合爪部５２１Ｂ，５２２Ｄ，５２３Ｃが係止される。また、第１の操作係合爪部５７５Ｂが右面部５１４側からパネル係止切欠部５２３Ｂに係止されているので、第３のパネル係合基部５２３Ａが右面部５１４側に弾性変形しても、第１の操作係合爪部５７５Ｂがパネル係止切欠部５２３Ｂから外れることがない。
【００２７】
［ディスク装置の作用効果］
上述したように、上記実施形態では、以下のような効果を奏することができる。
【００２８】
（１）ディスク装置１００のフロントパネル５００に、ディスクトレイ３００に係脱自在に取り付け可能な第１〜第４のパネル係合部５２１〜５２４を有するパネル本体５１０と、このパネル本体５１０に係脱自在に取り付けられる操作部材５７０と、を設けている。そして、第２，第３のパネル係合部５２２，５２３の係合リブ部５２２Ａ、第３のパネル係合基部５２３Ａに、ディスクトレイ３００に係合する第２，第３のパネル係合爪部５２２Ｄ，５２３Ｃと、操作部材５７０に係合するパネル係止孔部５２２Ｂ、パネル係止切欠部５２３Ｂと、を設けている。
このため、スライド式で形状が複雑でない１組の金型を準備するだけで、ディスクトレイ３００および操作部材５７０の両方に係合する機能を備えた第２，第３のパネル係合部５２２，５２３を製造できる。また、パネル本体５１０と操作部材５７０とを係合させているため、これらを溶着する構成と比べてリサイクルの工数を最小限に抑えることができる。
したがって、コストアップを招くことなく容易に製造可能かつリサイクル可能なフロントパネル５００、および、いわゆるスリムディスク装置と称されるディスク装置１００を提供できる。
【００２９】
（２）操作部材５７０の第２の操作係合部５７８が係止する構成として、係合リブ部５２２Ａを貫通するパネル係止孔部５２２Ｂを適用している。
このため、係合リブ部５２２Ａを貫通しない凹状の構成を適用する場合と比べて、係合リブ部５２２Ａを厚くすることなく、より確実に第２の操作係合部５７８を係止させることができる。
【００３０】
（３）パネル本体５１０の正面部５１１および上面部５１２を補強する係合リブ部５２２Ａに、パネル係止孔部５２２Ｂを設けている。
このため、係合リブ部５２２Ａに、補強機能と操作部材５７０が係止する機能とを設けることができ、構成を複雑にすることなく第２のパネル係合部５２２の多機能化を図ることができる。また、弾性変形し難い係合リブ部５２２Ａに操作部材５７０を係止させるので、フロントパネル５００をディスクトレイ３００へ取り付ける際に操作部材５７０がフロントパネル５００から外れることを防止できる。
【００３１】
（４）操作部材５７０の第１の操作係合部５７５が係止する構成として、第３のパネル係合基部５２３Ａを切り欠くことで形成したパネル係止切欠部５２３Ｂを適用している。
ここで、第２のパネル係合部５２２の左面部５１５側には、金型の左側（図３の右側）への移動を規制する突起などがない。このため、１組のスライド式の金型のうち一方を左側へ移動させることで、係合リブ部５２２Ａを貫通するパネル係止孔部５２２Ｂと、係合延出部５２２Ｃから左面部５１５側に突出する第２のパネル係合爪部５２２Ｄと、を形成することができる。これに対して、第３のパネル係合部５２３の右側および左側には突出部５３３，５３４があり金型を左右方向に移動させることができないが、パネル係止切欠部５２３Ｂを切欠き形状にしているため、一方の金型を上側へ移動させることで、パネル係止切欠部５２３Ｂと、第３のパネル係合爪部５２３Ｃと、を形成することができる。
【００３２】
（５）第１の操作係合爪部５７５Ｂと、第３のパネル係合爪部５２３Ｃとの突出方向が左面部５１５側となる状態で、操作部材５７０をパネル本体５１０に固定している。
このため、フロントパネル５００をディスクトレイ３００に取り付けるときに、第３のパネル係合基部５２３Ａが右面部５１４側に弾性変形しても、第１の操作係合爪部５７５Ｂがパネル係止切欠部５２３Ｂから外れることを防止できる。
【００３３】
（６）操作部材５７０の舌片挟持部５７９Ｃと、レンズ取付筒部５２６と、によりＬＥＤレンズ５４０を挟持している。
このため、ＬＥＤレンズ５４０を取り付けるための接着剤などを用いる必要がなく、組み立てを容易にできるとともに、リサイクルの工数を最小限に抑えることができる。
【００３４】
［他の実施形態］
なお、本発明は前述の一実施形態に限定されるものではなく、本発明の目的を達成できる範囲での変形、改良等は本発明に含まれるものである。
【００３５】
すなわち、パネル係止孔部５２２Ｂやパネル係止切欠部５２３Ｂの代わりに、係合リブ部５２２Ａや第３のパネル係合基部５２３Ａを貫通しない凹状の係止部を適用してもよい。
また、第３のパネル係合基部５２３Ａにパネル係止孔部５２２Ｂと同様の構成を設けてもよいし、係合リブ部５２２Ａにパネル係止切欠部５２３Ｂと同様の構成を設けてもよい。
さらに、第１の操作係合爪部５７５Ｂと、第３のパネル係合爪部５２３Ｃとの突出方向を略反対の方向にしてもよい。
また、操作部材５７０にＬＥＤレンズ５４０を挟持する機能を設けなくてもよい。
【００３６】
そして、本発明のパネル装置を、ボタン部などの操作部材を有する家電製品や電子機器などに適用してもよい。また、パネル装置の取付け対象の筐体が大きい場合、パネル係合部を筐体に係合させるとともに、ねじ止めを併用してもよい。このような構成の場合、ねじ止めだけで取り付ける構成と比べて取付けの作業性を向上できる。
【００３７】
その他、本発明の実施の際の具体的な構造および手順は、本発明の目的を達成できる範囲で他の構造などに適宜変更できる。
【００３８】
［実施形態の作用効果］
上述したように、フロントパネル５００に設けた第２，第３のパネル係合部５２２，５２３の係合リブ部５２２Ａ、第３のパネル係合基部５２３Ａに、ディスクトレイ３００に係合する第２，第３のパネル係合爪部５２２Ｄ，５２３Ｃと、操作部材５７０に係合するパネル係止孔部５２２Ｂ、パネル係止切欠部５２３Ｂと、を設けている。
このため、スライド式で形状が複雑でない１組の金型を準備するだけで、ディスクトレイ３００および操作部材５７０の両方に係合する機能を備えた第２，第３のパネル係合部５２２，５２３を製造できる。また、パネル本体５１０と操作部材５７０とを係合させているため、これらを溶着する構成と比べてリサイクルの工数を最小限に抑えることができる。
したがって、コストアップを招くことなく容易に製造可能かつリサイクル可能なフロントパネル５００を提供できる。
【図面の簡単な説明】
【００３９】
【図１】本発明の一実施形態に係るディスク装置の正面側からの斜視図である。
【図２】前記一実施形態におけるディスク装置の背面側からの斜視図である。
【図３】前記一実施形態におけるフロントパネルの分解斜視図である。
【図４】前記一実施形態におけるフロントパネルの要部の斜視図である。
【符号の説明】
【００４０】
１００…ディスク装置
２００…筐体を構成する収容部としてのケース体
３００…筐体を構成するディスクトレイ
３０１…ディスク処理部
５００…パネル装置としてのフロントパネル
５１０…パネル本体
５１１…正面部
５１１Ａ…窓部を構成するレンズ開口部
５１２…側縁部としての上面部
５２２，５２３…第２，第３のパネル係合部
５２２Ａ…パネル係合基部を構成する係合リブ部
５２２Ｂ…パネル係止部としてのパネル係止孔部
５２２Ｃ…パネル係合基部を構成する係合延出部
５２２Ｄ，５２３Ｃ…パネル係合突部としての第２，第３のパネル係合突部
５２３Ａ…第３のパネル係合基部
５２３Ｂ…パネル係止部としてのパネル係止切欠部
５２６…窓部を構成するレンズ取付筒部
５４０…窓閉塞部材としてのＬＥＤレンズ
５７０…操作部材
５７３…操作部としてのボタン部
５７５，５７８…第１，第２の操作係合部
５７５Ａ，５７８Ａ…第１，第２の操作係合基部
５７５Ｂ，５７８Ｂ…操作係合突部としての第１，第２の操作係合突部
５７９…レンズ挟持部
【図１】
2009188304.tif 000003
【図２】
2009188304.tif 000004
【図３】
2009188304.tif 000005
【図４】
2009188304.tif 000006